(57)【特許請求の範囲】
【請求項１】
既製の床部材であるＰＣａ版の躯体に対しての取り付き構造であるＰＣａ版の取付構造であって、
前記ＰＣａ版は、その縁部から外側に突出する突出部材と、前記縁部において下方に傾斜し、かつ、端面が前記ＰＣａ版の端面と面一であるハンチ部と、このハンチ部の傾斜に沿って、かつ、前記ハンチ部から前記突出部材の下方へと端部が突出するように埋設されるハンチ筋とを備え、
前記躯体は、前記突出部材を支持可能な支持部材を備え、
前記ＰＣａ版は、前記突出部材が前記支持部材に支持されて設置されており、
前記突出部材、前記支持部材、前記ハンチ筋の突出部、は、前記躯体の少なくとも一部を形成するように打設されるコンクリートに埋設され、前記ハンチ部はその端面が該コンクリートに当接された状態で該コンクリートに埋設されていないことを特徴とするＰＣａ版の取付構造。
【請求項２】
請求項１に記載のＰＣａ版の取付構造において、
前記躯体は梁部材で構成され、この梁部材の上端主筋は前記突出部材上に載置するようにして配筋されていることを特徴とするＰＣａ版の取付構造。
【請求項３】
請求項２に記載のＰＣａ版の取付構造において、
前記梁部材は、その下部がハーフＰＣａ梁で構成され、
前記支持部材には、前記ハーフＰＣａ梁が吊り下げられていることを特徴とするＰＣａ版の取付構造。
【請求項４】
請求項２に記載のＰＣａ版の取付構造において、
前記梁部材は、その下部がハーフＰＣａ梁で構成され、
前記支持部材は、前記ハーフＰＣａ梁上に載置されていることを特徴とするＰＣａ版の取付構造。
【請求項５】
既製の床部材であるＰＣａ版の躯体に対しての取り付け方法であるＰＣａ版の取付方法であって、
前記ＰＣａ版には予め、その縁部から外側に突出する突出部材と、前記縁部において下方に傾斜し、かつ、端面が前記ＰＣａ版の端面と面一であるハンチ部と、このハンチ部の傾斜に沿って、かつ、前記ハンチ部から前記突出部材の下方へと端部が突出するように埋設されるハンチ筋とを備えておき、
先ず、前記躯体に、前記突出部材を支持可能な支持部材を設け、
次に、前記ＰＣａ版を、前記突出部材が前記支持部材に支持されるように設置し、
次に、前記突出部材、前記支持部材、前記ハンチ筋の突出部、を、前記躯体の少なくとも一部を形成するように打設するコンクリートに埋設するとともに、前記ハンチ部をその端面が該コンクリートに当接するようにして、該コンクリートに埋設しないことを特徴とするＰＣａ版の取付方法。
【請求項６】
請求項５に記載のＰＣａ版の取付方法において、
前記躯体を梁部材で構成し、この梁部材の上端主筋を前記突出部材上に載置するようにして配筋することを特徴とするＰＣａ版の取付方法。
【請求項７】
請求項６に記載のＰＣａ版の取付方法において、
前記梁部材を、その下部をハーフＰＣａ梁で構成し、
前記支持部材には、前記ハーフＰＣａ梁が吊り下げられることを特徴とするＰＣａ版の取付方法。
【請求項８】
請求項６に記載のＰＣａ版の取付方法において、
前記梁部材を、その下部をハーフＰＣａ梁で構成し、
前記支持部材を、前記ハーフＰＣａ梁上に載置することを特徴とするＰＣａ版の取付方法。
【発明の詳細な説明】
【０００１】
【発明の属する技術分野】
本発明は、既製の床部材であるＰＣａ版、および、このＰＣａ版を外周から支持する躯体に対しての取り付き構造、取り付け方法、であるＰＣａ版の取付構造、ＰＣａ版の取付方法に関する。
【０００２】
【従来の技術】
コンクリート構造物においては、鉄筋の配筋、コンクリートの打設工程を省くために、既製のプレキャスト（ＰｒｅＣａｓｔ、以下ＰＣａと略す。）部材を用いた施工が広く行われている。一般に、このようなＰＣａ部材の接合は、ＰＣａ部材の縁部から鉄筋を突出させておき、この鉄筋が定着されるように接合部にコンクリートを現場打設することにより行われている。
ところで、既製の床部材であるＰＣａ版においては、地震等の際に作用するモーメントに対処するために、縁部に下方に傾斜するハンチ部を形成する要望がある場合がある。しかしながら、一般にＰＣａ版は梁部材等の躯体の上部に載置するように設置するため、ＰＣａ版の縁部に下方に傾斜するハンチ部が形成され、このハンチ部の傾斜に沿って予め配筋されたハンチ筋が定着のためにハンチ部から突出していると、このハンチ筋が躯体に干渉してしまうという問題があり、止むを得ずハンチ部を省く構造にする場合が多い。
【０００３】
【発明が解決しようとする課題】
このようなＰＣａ版の縁部にハンチ部を設ける方法としては、例えば特開２００２−０８８９０６号公報に記載されているように、ハンチ部が形成されるように現場配筋し、型枠を設けて、接合部とハンチ部とに同時にコンクリートを現場打設する方法がある。しかしながら、前記公報に記載の技術においては、ハンチ部に沿うように斜めに型枠を設ける必要があり、非常に施工手間がかかるという問題がある。
【０００４】
これに対して、ハンチ部を含めてプレキャスト化したＰＣａ版も知られているが、ハンチ部の傾斜に沿って配筋を行うと、前記した理由からＰＣａ版の設置が困難となる。この理由から、ハンチ部をコンクリートのみによって構成すると、鉄筋による引張り抵抗力を得ることができないため、ハンチ効果を十分に得られないという欠点がある。
【０００５】
上記諸事情に鑑みてなされた本発明の課題は、縁部にハンチ部を備え、このハンチ部の傾斜に沿うように予め配筋がなされたＰＣａ版を、容易に躯体に取り付けることを可能とするＰＣａ版の取付構造、ＰＣａ版の取付方法を提供することである。
【０００６】
【課題を解決するための手段】
以上の課題を解決すべく請求項１に記載の発明は、例えば図１、図９、図１０に示すように、
既製の床部材であるＰＣａ版２０の躯体（梁部材３０、５０）に対しての取り付き構造であるＰＣａ版２０の取付構造であって、
前記ＰＣａ版２０は、その縁部から外側に突出する突出部材（仮受部材２２）と、前記縁部において下方に傾斜し、かつ、端面が前記ＰＣａ版２０の端面と面一であるハンチ部２３と、このハンチ部２３の傾斜に沿って、かつ、前記ハンチ部２３から前記突出部材（仮受部材２２）の下方へと端部が突出するように埋設されるハンチ筋２４とを備え、
前記躯体（梁部材３０、５０）は、前記突出部材（仮受部材２２）を支持可能な支持部材３１を備え、
前記ＰＣａ版２０は、前記突出部材（仮受部材２２）が前記支持部材３１に支持されて設置されており、
前記突出部材（仮受部材２２）、前記支持部材３１、前記ハンチ筋２４の突出部２４ａ、は、前記躯体（梁部材３０、５０）の少なくとも一部を形成するように打設されるコンクリート３９、５９に埋設され、前記ハンチ部２３はその端面が該コンクリート３９，５９に当接された状態で該コンクリート３９，５９に埋設されていないことを特徴としている。
【０００７】
請求項１に記載の発明によれば、前記ＰＣａ版は、その縁部から外側に突出する突出部材が、前記躯体に備えられた支持部材に支持されて設置されている。このため、ＰＣａ版の躯体への設置が、ＰＣａ版の縁部の下方に傾斜し、かつ、端面が前記ＰＣａ版の端面と面一であるハンチ部の傾斜に沿って、かつ、前記ハンチ部から前記突出部材の下方へと端部が突出するように埋設されるハンチ筋が、躯体に干渉することなく行われている。しかも、前記突出部材、前記支持部材、前記ハンチ筋の突出部、は、前記躯体の少なくとも一部を形成するように打設されるコンクリートに埋設されているため、ＰＣａ版の接合強度が十分に確保されるとともに外観も秀麗となり、さらにハンチ筋の定着も確保される。
以上により、前記ＰＣａ版においては、ハンチ部の傾斜に沿って配筋されたハンチ筋によってハンチ効果を十分に得ることができるとともに、このＰＣａ版の躯体への取り付けを、ハンチ筋を躯体に干渉させることなく、容易に行うことができる。
【０００８】
なお、前記突出部材としては、例えば、Ｈ型鋼や角型鋼管等の鋼材が挙げられ、ＰＣａ版の縁部から所定長さ突出するようにＰＣａ版に埋設しておけばよい。
【０００９】
また、前記支持部材としては、例えば、Ｈ型鋼、角型鋼管等の鉄骨部材が上げられる。
【００１０】
また、前記躯体としては、例えば梁部材や壁部材がある。これら梁部材や壁部材は、ハーフＰＣａ部材として構成してもよいし、現場配筋を行ってコンクリートが現場打設される部材として構成してもよい。
【００１１】
請求項２に記載の発明は、例えば図１、図９、図１０に示すように、請求項１に記載のＰＣａ版２０の取付構造において、
前記躯体（梁部材３０、５０）は梁部材３０、５０で構成され、この梁部材３０、５０の上端主筋３５、５５は前記突出部材（仮受部材２２）上に載置するようにして配筋されていることを特徴としている。
【００１２】
請求項２記載の発明によれば、前記躯体を構成する梁部材の上端主筋は前記突出部材上に載置するようにして配筋されている。すなわち、前記突出部材が前記上端主筋の架台となるため、この上端主筋の配筋を容易に行うことができる。
【００１３】
なお、突出部材上に上端主筋を載置する際には、直接載置してもよいし、何らかの部材を挟んで載置してもよい。
【００１４】
請求項３に記載の発明は、例えば図１、図９、図１０に示すように、請求項２に記載のＰＣａ版２０の取付構造において、
前記梁部材３０は、その下部がハーフＰＣａ梁３２で構成され、
前記支持部材３１には、前記ハーフＰＣａ梁３２が吊り下げられていることを特徴としている。
【００１５】
請求項３に記載の発明によれば、前記梁部材は、その下部がハーフＰＣａ梁で構成され、前記支持部材には、前記ハーフＰＣａ梁が吊り下げられている。これにより、例えば、梁部材の下方に梁下支保工を設置することで梁部材を下方から支持することができな場合等においても、前記支持部材を容易に所定位置に設けることができる。
【００１６】
なお、梁下支保工によって梁部材を支持することができな場合とは、例えば、ＰＣａ版や梁部材によって、海上等に桟橋を形成する場合等が挙げられる。このような場合には、例えば、前記支持部材を海上等に打ち込まれた杭等に固定すればよい。
【００１７】
請求項４に記載の発明は、例えば図１、図９、図１０に示すように、請求項２に記載のＰＣａ版２０の取付構造において、
前記梁部材５０は、その下部がハーフＰＣａ梁５２で構成され、
前記支持部材５１は、前記ハーフＰＣａ梁５２上に載置されていることを特徴としている。
【００１８】
なお、支持部材をハーフＰＣａ梁上に載置する際には、直接載置してもよいし、何らかの部材を挟んで載置してもよい。
【００１９】
請求項４に記載の発明によれば、前記梁部材は、その下部がハーフＰＣａ梁で構成され、前記支持部材は、前記ハーフＰＣａ梁上に載置されている。これにより、例えば、前記ハーフＰＣａ梁を下方から梁下支保工に支持させて所定位置に設けることで、前記支持部材を容易に所定位置に設けることができる。
【００２０】
請求項５に記載の発明は、例えば図２〜９に示すように、
既製の床部材であるＰＣａ版２０の躯体（梁部材３０）に対しての取り付け方法であるＰＣａ版２０の取付方法であって、
前記ＰＣａ版２０には予め、その縁部から外側に突出する突出部材（仮受部材２２）と、前記縁部において下方に傾斜し、かつ、端面が前記ＰＣａ版２０の端面と面一であるハンチ部２３と、このハンチ部２３の傾斜に沿って、かつ、前記ハンチ部２３から前記突出部材（仮受部材２２）の下方へと端部が突出するように埋設されるハンチ筋２４とを備えておき、
先ず、前記躯体（梁部材３０、５０）に、前記突出部材（仮受部材２２）を支持可能な支持部材３１を設け、
次に、前記ＰＣａ版２０を、前記突出部材（仮受部材２２）が前記支持部材３１、５１に支持されるように設置し、
次に、前記突出部材（仮受部材２２）、前記支持部材３１、５１、前記ハンチ筋２４の突出部２４ａ、を、前記躯体の少なくとも一部を形成するように打設するコンクリート３９、５９に埋設するとともに、前記ハンチ部２３をその端面が該コンクリート３９，５９に当接するようにして、該コンクリート３９，５９に埋設しないことを特徴としている。
【００２１】
請求項５に記載の発明によれば、前記ＰＣａ版は、その縁部から外側に突出する突出部材が、前記躯体に備えられた支持部材に支持されて設置される。このため、ＰＣａ版の躯体への設置が、ＰＣａ版の縁部の下方に傾斜し、かつ、端面が前記ＰＣａ版の端面と面一であるハンチ部の傾斜に沿って、かつ、前記ハンチ部から前記突出部材の下方へと端部が突出するように埋設されるハンチ筋が、躯体に干渉することなく行われる。しかも、前記突出部材、前記支持部材、前記ハンチ筋の突出部、は、前記躯体の少なくとも一部を形成するように打設されるコンクリートに埋設されるため、ＰＣａ版の接合強度が十分に確保されるとともに外観も秀麗となり、さらにハンチ筋の定着も確保される。
以上により、前記ＰＣａ版においては、ハンチ部の傾斜に沿って配筋されたハンチ筋によってハンチ効果を十分に得ることができるとともに、このＰＣａ版の躯体への取り付けを、ハンチ筋を躯体に干渉させることなく、容易に行うことができる。
【００２２】
請求項６に記載の発明は、例えば図２〜９に示すように、請求項５に記載の発明において、
前記躯体（梁部材３０、５０）を梁部材３０、５０で構成し、この梁部材３０、５０の上端主筋３５、５５を前記突出部材（仮受部材２２）上に載置するようにして配筋することを特徴としている。
【００２３】
請求項６に記載の発明によれば、前記躯体を構成する梁部材の上端主筋は前記突出部材上に載置するようにして配筋される。すなわち、前記突出部材が前記上端主筋の架台となるため、この上端主筋の配筋を容易に行うことができる。
【００２４】
なお、突出部材上に上端主筋を載置する際には、直接載置してもよいし、何らかの部材を挟んで載置してもよい。
【００２５】
請求項７に記載の発明は、例えば図２〜９に示すように、請求項６に記載のＰＣａ版２０の取付方法において、
前記梁部材（梁部材３０）を、その下部をハーフＰＣａ梁３２で構成し、
前記支持部材３１には、前記ハーフＰＣａ梁３２が吊り下げられることを特徴としている。
【００２６】
請求項７に記載の発明によれば、前記梁部材は、その下部がハーフＰＣａ梁で構成され、前記支持部材には、前記ハーフＰＣａ梁が吊り下げられる。これにより、例えば、梁部材の下方に梁下支保工を設置することで梁部材を下方から支持することができな場合等においても、前記支持部材を容易に所定位置に設けることができる。
【００２７】
請求項８に記載の発明は、例えば図１０に示すように、請求項６に記載のＰＣａ版２０の取付方法において、
前記梁部材５０を、その下部をハーフＰＣａ梁５２で構成し、
前記支持部材５１を、前記ハーフＰＣａ梁５２上に載置することを特徴としている。
【００２８】
請求項８に記載の発明によれば、前記梁部材は、その下部がハーフＰＣａ梁で構成され、前記支持部材は、前記ハーフＰＣａ梁上に載置される。これにより、例えば、前記ハーフＰＣａ梁を下方から梁下支保工に支持させて所定位置に設けることで、前記支持部材を容易に所定位置に設けることができる。
【００２９】
なお、支持部材をハーフＰＣａ梁上に載置する際には、直接載置してもよいし、何らかの部材を挟んで載置してもよい。
【００３２】
【発明の実施の形態】
以下に、本発明に係るＰＣａ版の取付構造、ＰＣａ版の取付構造、の実施の形態例を図１〜図１０を参照して詳細に説明する。
【００３３】
［第１の実施の形態］
本実施の形態においては、本発明に係るＰＣａ版２０を、海上に施工されるプラットホーム等の桟橋１００に利用するものである。このプラットホームとしては、例えばＬＮＧ（Liquefied Natural Gas）プラント等が挙げられる。
【００３４】
先ず、この桟橋１００の構成を説明する。この桟橋１００は、海底に所定長さ埋め込まれた脚部と、この脚部上に設置される本体部とから構成されている。
【００３５】
脚部は鋼管杭１０から構成されている。鋼管杭１０は、２本の鋼管杭１０の杭頭部１０ａが隣接するようにＶ字状に、かつ、これら２本のＶ字状の鋼管杭１０が所定間隔で、海底に所定長さ埋め込まれている。
【００３６】
なお、海面には、図１等に示すように、満潮時と干潮時とでレベル差（例えば、図１等に示す、ＯＰ＋０．３５ｍ、ＯＰ＋２．１０ｍ）が生じ、さらに波も生じるため、鋼管杭１０は、その長さが本体部が満潮時に波が生じた場合においても水没しないレベルとなるように設定されている。
【００３７】
本体部は略矩形状のＰＣａ版２０と、このＰＣａ版２０を外周から支持する梁部材３０とから構成され、この梁部材３０は鋼管杭１０に支持されている。
【００３８】
ＰＣａ版２０には、予めスラブ筋２１が縁部から突出部２１ａが突出するように埋設されているほか、縁部から外側に所定長さ突出するように１辺につき２本の仮受部材２２（突出部材）が所定長さ埋め込まれている。この仮受部材２２の埋め込み長さは、ＰＣａ版２０に作用する荷重を考慮して決められる。この仮受部材２２としては、例えばＨ型鋼や角型鋼管等が挙げられるが、特に限定されるものではない。
【００３９】
このＰＣａ版２０の縁部には、下方に傾斜するハンチ部２３が形成されており、さらにこのハンチ部２３の形状に沿うように、かつ、ハンチ部２３から突出部２４ａが突出するようにハンチ筋２４が埋設されている。なお、ハンチ筋２４のＰＣａ版２０内部への埋め込み長さおよびハンチ部２３からの突出部２４ａの突出長さは、それぞれ定着長さを考慮して決められるものである。
【００４０】
梁部材３０は、ＰＣａ版２０を外周から支持しており、以下のように構成されている。すなわち、梁部材３０は、その下部がハーフＰＣａ梁３２で構成され、コンクリート３９が現場打設される部分には、鋼管杭１０の杭頭部１０ａに溶接固定された支持部材が埋設されている。この支持部材３１には、ハーフＰＣａ梁３２が鋼材３３および鋼棒３４を介して吊り下げられており、このハーフＰＣａ梁３２には、予め下端主筋３２ａおよび下部せん断補強筋３２ｂが埋設されている。
【００４１】
梁部材３０のコンクリート３９が現場打設される部分には、下部せん断補強筋３２ｂに溶接等によって連続するように現場配筋された上部せん断補強筋３６が埋設されている。また、支持部材３１の上端部には、ＰＣａ版２０の仮受部材２２の設けられた位置に一致するように調整部材３７が載置され、必要に応じて溶接固定されている。この調整部材３７としては、例えばＣ型チャンネルや角型鋼管等が挙げられるが、特に限定されるものではない。すなわち、支持部材３１には、調整部材３７を介してＰＣａ版２０の仮受部材２２が支持されており、これによって、ＰＣａ版２０に作用する荷重は、支持部材３１から鋼管杭１０へと伝達されるようになっている。
【００４２】
さらに、梁部材３０のコンクリート３９が現場打設される部分においては、ＰＣａ版２０の縁部から突出したスラブ筋２１の突出部２１ａが埋設されているほか、仮受部材２２上に載置するようにして配筋された梁部材３０の上端主筋３５が埋設されているとともに、ＰＣａ版２０のハンチ部２３から突出したハンチ筋２４の突出部２４ａが埋設されている。
【００４３】
次に、桟橋の施工方法を説明する。
〔鋼管杭打設工程〕
先ず、鋼管杭１０を所定間隔で打設する。鋼管杭１０は、２本セットで打設を行い、２本の鋼管杭１０が互いに対向して傾斜し、かつ、２本の鋼管杭１０の杭頭部がＰＣａ版２０の隅部において互いに隣接するようにＶ字状に打設する。これら鋼管杭１０は打込杭であり、海底に所定長さ埋め込まれるように打ち込む。
【００４４】
〔杭頭切断・格子梁設置工程〕
次に、杭頭部１０ａを切断し、この切断面が水平となるようにする。そして、水平となった杭頭部１０ａの切断面に、支持部材３１を格子状に載置するようにして設け、さらに支持部材３１を切断面に溶接固定する。
【００４５】
〔ハーフＰＣａ梁設置工程〕
次に、支持部材３１に、梁部材３０の下部を構成し、予め下端主筋３２ａおよび下部せん断補強筋３２ｂが埋設されたハーフＰＣａ梁３２を、鋼材３３および鋼棒３４を介して吊り下げる。ハーフＰＣａ梁３２には、予め上方に突出するように鋼棒３４を埋設しておき、この鋼棒３４に鋼材３３を溶接固定し、さらにハーフＰＣａ梁３２が吊り下げられた状態となった鋼材３３を支持部材３１に溶接固定する。なお、ハーフＰＣａ梁３２は、その長さを、鋼管杭１０の杭頭部１０ａに設けるフーチングの有無等に応じて適宜調整すればよい。
【００４６】
〔ＰＣａ版設置工程〕
次に、ＰＣａ版２０を、仮受部材２２が支持部材３１に支持されるように設置する。支持部材３１上には、調整部材３７を載置し、必要に応じて溶接固定しておき、この調整部材３７上に仮受部材２２が載置されるようにし、さらに必要に応じて調整部材３７と仮受部材２２とを溶接固定する。
【００４７】
なお、このＰＣａ版２０は、予めスラブ筋２１が縁部から突出部２１ａが突出するように埋設されているほか、縁部から外側に所定長さ突出するように１辺につき２本の仮受部材２２が所定長さ埋め込まれている。
【００４８】
また、このＰＣａ版２０の縁部には、下方に傾斜するハンチ部２３が形成されており、さらにこのハンチ部２３の形状に沿うように、かつ、ハンチ部２３から突出部２４ａが突出するようにハンチ筋２４が埋設されている。
【００４９】
〔梁配筋工程〕
次に、梁部材３０のコンクリート３９が現場打設される部分に、下部せん断補強筋３２ｂに溶接等によって連続するように上部せん断補強筋３６を現場配筋する。また、仮受部材２２上に載置するようにして梁部材３０の上端主筋３５を現場配筋する。
【００５０】
〔型枠設置・コンクリート打設工程〕
次に、梁側型枠３８とフーチング底型枠１１を設ける。この際、フーチング底型枠１１は、鋼管杭１０の杭頭部１０ａに形成するフーチングの形状に合わせて設ける。
梁側型枠３８とフーチング底型枠１１とを設けた後に、仮受部材２２、支持部材３１、ハンチ筋２４の突出部２４ａ、スラブ筋２１の突出部２１ａ、上端主筋３５、上部せん断補強筋３６等が埋設されるようにしてコンクリート３９を打設する。
最後に、所定期間の養生を行い、脱型を行う。
【００５１】
以上、本実施の形態によれば、以下のような効果を得ることができる。
【００５２】
▲１▼ＰＣａ版２０は、その縁部から外側に突出する仮受部材２２が、躯体である梁部材３０に備えられた支持部材３１に支持されて設置される。このため、ＰＣａ版２０の梁部材３０への設置が、ＰＣａ版２０の縁部の下方に傾斜するハンチ部２３の傾斜に沿って、かつ、ハンチ部２３から端部が突出するように埋設されるハンチ筋２４が、梁部材３０に干渉することなく行われる。しかも、仮受部材２２、支持部材３１、ハンチ筋２４の突出部２４ａ、は、梁部材３０の少なくとも一部を形成するように打設されるコンクリート３９に埋設されるため、ＰＣａ版２０の接合強度が十分に確保されるとともに外観も秀麗となり、さらにハンチ筋２４の定着も確保される。
以上により、ＰＣａ版２０においては、ハンチ部２３の傾斜に沿って配筋されたハンチ筋２４によってハンチ効果を十分に得ることができるとともに、このＰＣａ版２０の梁部材３０への取り付けを、ハンチ筋２４を梁部材３０に干渉させることなく、容易に行うことができる。
【００５３】
▲２▼躯体を構成する梁部材３０の上端主筋３５は仮受部材２２上に載置するようにして配筋される。すなわち、仮受部材２２が上端主筋３５の架台となるため、この上端主筋３５の配筋を容易に行うことができる。
【００５４】
▲３▼梁部材３０は、その下部がハーフＰＣａ梁３２で構成され、支持部材３１には、ハーフＰＣａ梁３２が吊り下げられる。これにより、例えば、梁部材３０の下方に、図示しない梁下支保工を設置することで梁部材３０を下方から支持することができない場合等においても、支持部材３１を容易に所定位置に設けることができる。
【００５５】
なお、本実施の形態においては、梁部材３０にハーフＰＣａ梁３２を用いているが、全部位に現場配筋を行い、コンクリートを現場打設する梁として構成してもよい。
【００５６】
［第２の実施の形態］
本実施の形態においては、本発明に係るＰＣａ版２０を、柱、梁、床等を備える建物２００に利用するものである。この建物２００の構成を説明する。
【００５７】
柱を構成する柱部材４０としては、ＲＣ柱、ＳＲＣ柱等が挙げられるが、得意限定されるものではない。また、ＲＣ柱の場合、ＰＣａ柱として構成してもコンクリートを現場打ちする柱として構成してもよい。
【００５８】
床を構成する本発明に係るＰＣａ版２０は、［第１の実施の形態］と同一の構成であるため、［第１の実施の形態］と同一符号を付して説明を省略する。
【００５９】
梁を構成する梁部材５０は、ＰＣａ版２０を外周から支持しており、以下のように構成されている。すなわち、梁部材５０は、その下部が、予め下端主筋５２ａおよび下部せん断補強筋５２ｂが埋設されているハーフＰＣａ梁５２で構成され、このハーフＰＣａ梁５２は、その下方から図示しない梁下支保工によって支持されている。コンクリート５９が現場打設される部分には、ハーフＰＣａ梁５２上に載置された支持部材５１が埋設されている。この支持部材５１としては、例えばＨ型鋼や角型鋼管等が挙げられるが、特に限定されるものではない。
【００６０】
梁部材５０のコンクリート５９が現場打設される部分には、下部せん断補強筋５２ｂに溶接等によって連続するように現場配筋された上部せん断補強筋５６が埋設されている。また、支持部材５１の上部には、調整部材５７が載置され、必要に応じて溶接固定されている。この調整部材５７としては、例えばＣ型チャンネルや角型鋼管等が挙げられるが、特に限定されるものではない。すなわち、支持部材５１には、調整部材５７を介してＰＣａ版２０の仮受部材２２が支持されており、これによって、ＰＣａ版２０に作用する荷重は、支持部材５１から梁部材５０、柱部材４０へと伝達されるようになっている。
【００６１】
次に、建物２００の施工方法を説明する。ただし、一連の施工工程のうち、本発明の要点となり、かつ［第１の実施の形態］と異なる構成を中心に説明する。
【００６２】
<ハーフＰＣａ梁設置工程>
梁部材５０の下部を構成し、予め下端主筋５２ａおよび下部せん断補強筋５２ｂが埋設されたハーフＰＣａ梁５２を、下方から図示しない梁下支保工によって支持させて設置する。
【００６３】
<ＰＣａ版設置工程>
次に、ＰＣａ版２０を、仮受部材２２が支持部材５１に支持されるように設置する。支持部材５１上には、調整部材５７を載置し、必要に応じて溶接固定しておき、この調整部材５７上に仮受部材２２が載置されるようにし、さらに必要に応じて調整部材５７と仮受部材２２とを溶接固定する。
【００６４】
<梁配筋工程>
次に、梁部材５０のコンクリート５９が現場打設される部分に、下部せん断補強筋５２ｂに溶接等によって連続するように上部せん断補強筋５６を現場配筋する。また、仮受部材２２上に載置するようにして梁部材５０の上端主筋５５を現場配筋する。
【００６５】
以上、本実施の形態によれば、以下のような効果を得ることができる。
【００６６】
▲４▼ＰＣａ版２０は、その縁部から外側に突出する仮受部材２２が、躯体である梁部材５０に備えられた支持部材５１に支持されて設置される。このため、ＰＣａ版２０の梁部材５０への設置が、ＰＣａ版２０の縁部の下方に傾斜するハンチ部２３の傾斜に沿って、かつ、ハンチ部２３から端部が突出するように埋設されるハンチ筋２４が、梁部材５０に干渉することなく行われる。しかも、仮受部材２２、支持部材５１、ハンチ筋２４の突出部２４ａ、は、梁部材５０の少なくとも一部を形成するように打設されるコンクリート５９に埋設されるため、ＰＣａ版２０の接合強度が十分に確保されるとともに外観も秀麗となり、さらにハンチ筋２４の定着も確保される。
以上により、ＰＣａ版２０においては、ハンチ部２３の傾斜に沿って配筋されたハンチ筋２４によってハンチ効果を十分に得ることができるとともに、このＰＣａ版２０の梁部材５０への取り付けを、ハンチ筋２４を梁部材５０に干渉させることなく、容易に行うことができる。
【００６７】
▲５▼躯体を構成する梁部材５０の上端主筋５５は仮受部材２２上に載置するようにして配筋される。すなわち、仮受部材２２が上端主筋５５の架台となるため、この上端主筋５５の配筋を容易に行うことができる。
【００６８】
▲６▼梁部材５０は、その下部がハーフＰＣａ梁５２で構成され、支持部材５１は、ハーフＰＣａ梁５２上に載置される。これにより、例えば、ハーフＰＣａ梁５２を下方から、図示しない梁下支保工に支持させて所定位置に設けることで、支持部材５１を容易に所定位置に設けることができる。
【００６９】
なお、本実施の形態においては、梁部材３０にハーフＰＣａ梁５２を用いているが、全部位に現場配筋を行い、コンクリートを現場打設する梁として構成してもよい。
【００７０】
【発明の効果】
請求項１に記載の発明によれば、前記ＰＣａ版は、その縁部から外側に突出する仮受部材が、前記躯体に備えられた支持部材に支持されて設置されているため、このＰＣａ版の設置の際に、ハンチ筋が躯体に干渉することがない。しかも、前記突出部材、前記支持部材、前記ハンチ筋の突出部、は、前記躯体の少なくとも一部を形成するように打設されるコンクリートに埋設されているため、ＰＣａ版の接合強度が十分に確保されるとともに外観も秀麗となり、さらにハンチ筋の定着も確保される。以上により、前記ＰＣａ版においては、ハンチ部の傾斜に沿って配筋されたハンチ筋によってハンチ効果を十分に得ることができるとともに、このＰＣａ版の躯体への取り付けを、ハンチ筋を躯体に干渉させることなく、容易に行うことができる。
【００７１】
請求項２に記載の発明によれば、請求項１に記載の発明と同様の効果を得ることができることは勿論のこと、前記突出部材が前記上端主筋の架台となるため、この上端主筋の配筋を容易に行うことができる。
【００７２】
請求項３に記載の発明によれば、請求項２に記載の発明と同様の効果を得ることができることは勿論のこと、例えば、梁部材の下方に梁下支保工を設置することで梁部材を下方から支持することができな場合等においても、前記支持部材を所定位置に固定して設けることができる。
【００７３】
請求項４に記載の発明によれば、請求項２に記載の発明と同様の効果を得ることができることは勿論のこと、例えば、前記ハーフＰＣａ梁を下方から梁下支保工に支持させて所定位置に設けることで、前記支持部材を容易に所定位置に設けることができる。
【００７４】
請求項５に記載の発明によれば、前記ＰＣａ版は、その縁部から外側に突出する突出部材が、前記躯体に備えられた支持部材に支持されて設置されるため、このＰＣａ版の設置の際に、ハンチ筋が躯体に干渉することがない。しかも、前記突出部材、前記支持部材、前記ハンチ筋の突出部、は、前記躯体の少なくとも一部を形成するように打設されるコンクリートに埋設されるため、ＰＣａ版２０の接合強度が十分に確保されるとともに外観も秀麗となり、さらにハンチ筋の定着も確保される。以上により、前記ＰＣａ版においては、ハンチ部の傾斜に沿って配筋されたハンチ筋によってハンチ効果を十分に得ることができるとともに、このＰＣａ版の躯体への取り付けを、ハンチ筋を躯体に干渉させることなく、容易に行うことができる。
【００７５】
請求項６に記載の発明によれば、請求項５に記載の発明と同様の効果を得ることができることは勿論のこと、前記突出部材が前記上端主筋の架台となるため、この上端主筋の配筋を容易に行うことができる。
【００７６】
請求項７に記載の発明によれば、請求項６に記載の発明と同様の効果を得ることができることは勿論のこと、例えば、梁部材の下方に梁下支保工を設置することで梁部材を下方から支持することができな場合等においても、前記支持部材を容易に所定位置に設けることができる。
【００７７】
請求項８に記載の発明によれば、請求項６に記載の発明と同様の効果を得ることができることは勿論のこと、例えば、前記ハーフＰＣａ梁を下方から梁下支保工に支持させて所定位置に設けることで、前記支持部材を容易に所定位置に設けることができる。
【図面の簡単な説明】
【図１】本発明に係るＰＣａ版の取付構造の一実施の形態例を示す断面図である。
【図２】本発明に係るＰＣａ版を用いた桟橋を形成する際における一施工過程を示す、（ａ）は平面図であり、（ｂ）は断面図である。
【図３】本発明に係るＰＣａ版を用いた桟橋を形成する際における一施工過程を示す、（ａ）は平面図であり、（ｂ）は断面図である。
【図４】本発明に係るＰＣａ版を用いた桟橋を形成する際における一施工過程を示す、（ａ）は平面図であり、（ｂ）は断面図である。
【図５】本発明に係るＰＣａ版を用いた桟橋を形成する際における一施工過程を示す、（ａ）は平面図であり、（ｂ）は断面図である。
【図６】本発明に係るＰＣａ版を用いた桟橋を形成する際の、一施工過程を示す、（ａ）は平面図であり、（ｂ）は断面図である。
【図７】本発明に係るＰＣａ版を用いた桟橋を形成する際における一施工過程を示す、（ａ）は平面図であり、（ｂ）は断面図である。
【図８】本発明に係るＰＣａ版を用いた桟橋を形成する際における一施工過程を示す、（ａ）は平面図であり、（ｂ）は断面図である。
【図９】本発明に係るＰＣａ版を用いた桟橋を形成する際における一施工過程を示す、（ａ）は平面図であり、（ｂ）は断面図である。
【図１０】本発明に係るＰＣａ版の取付構造の一実施の形態例を示す断面図である。
【符号の説明】
２０        ＰＣａ板
２２      仮受部材（突出部材）
２３      ハンチ部
２４      ハンチ筋
２４ａ  突出部
３０        梁部材（躯体）
３１      支持部材（躯体）
３２      ハーフＰＣａ梁（躯体）
３５      上端主筋
３９      コンクリート
４０        柱部材
５０        梁部材（躯体）
５１      支持部材（躯体）
５２      ハーフＰＣａ梁（躯体）
５５      上端主筋
５９      コンクリート
【図１】
0003710438.tif 000002
【図２】
0003710438.tif 000003
【図３】
0003710438.tif 000004
【図４】
0003710438.tif 000005
【図５】
0003710438.tif 000006
【図６】
0003710438.tif 000007
【図７】
0003710438.tif 000008
【図８】
0003710438.tif 000009
【図９】
0003710438.tif 000010
【図１０】
0003710438.tif 000011